(57)【特許請求の範囲】
【請求項１】
電子レンジによって加熱調理可能なレンジ用パウチを内部に収納する紙箱であって、紙箱の１側面のりしろに延長して枕部を設け、前記枕部は、１側面のりしろ側から順に、パウチ乗せ台、立ち壁、底面接着部からなることを特徴とするレンジ用パウチ収納箱。
【請求項２】
枕部は正側面のりしろから延長して設けられていることを特徴とする請求項１に記載のレンジ用パウチ収納箱。
【請求項３】
前記パウチ乗せ台の縦方向の長さは、前記正側面のりしろの縦方向の長さよりも長いことを特徴とする請求項１または請求項２に記載のレンジ用パウチ収納箱。
【請求項４】
前記立ち壁の高さと正側面のりしろの高さが略同じであることを特徴とする請求項１〜３のいずれかに記載のレンジ用パウチ収納箱。
【請求項５】
底面板の正側面のりしろ側から底面板中央近傍にかけて、左右２本の罫線を設けたことを特徴とする請求項１〜４のいずれかに記載のレンジ用パウチ収納箱。
【発明の詳細な説明】
【技術分野】
【０００１】
本発明は、レンジ用パウチを紙箱に入れたまま、電子レンジで高周波加熱により調理可能なレンジ用パウチ収納箱に関する。
【背景技術】
【０００２】
調理済みレトルトカレーのように、加熱するだけで賞味することができる食品類は、簡単に食事をとる事ができる為、近年、独身者のみならず、老齢者や、料理に時間が取りにくい人々にとって、簡便に食事を取ることができる手段になっている。
このような食品は、カレー、シチュー、酢豚、ミートボール煮、八宝菜など、内部に水分が入っていて、この水が高周波でエネルギー準位をあげる励起現象を起こし、振動や回転をすることによって、周囲の他の成分もそのエネルギーが伝わることで、加熱調理される。
加熱された水の一部は、蒸気となって膨張し、包装容器であるパウチを内部から押し広げる力となり、内部圧力が上昇し、丸く膨んでくる。
もし、そのまま、パウチ内部の圧力が上昇し、内部の水分が沸騰するようなことになると、パウチは爆発し、高温になった内容物が飛び散り、火傷を負うおそれがある。
そこで、このような事が起きないようにパウチには、蒸気抜き機能が設けられている。しかし、もし、この蒸気抜き部の内側に高温になった内容物があった場合、高温の内容物がパウチから飛び散る危険があった。
さらに、高温に加熱されるので、取り出そうとした場合、パウチを触ると、火傷を負う恐れもあった。
【０００３】
このような事故が起きないように、このパウチを紙箱に入れて、そのまま電子レンジで加熱できるようにすれば、より、安全であり、電子レンジ内へ置く場合にも、はっきり表記し易いなどのメリットもある。
特に、紙箱の断熱性により、取り出す時に、火傷を負い難いメリットもある。
【０００４】
このような電子レンジによるレトルト食品の紙箱に入れたまま行う加熱について、例えば、特許文献１では、電子レンジ用包装箱の天面に帯状の開封用ジッパーが設けられており、ジッパーから開封し、箱の上部側の裏面側に折り曲げることで枕にし、加熱時に内容物が蒸気抜き部に接しないようにしたものである。
しかし、消費者がこのような煩雑な作業を行うのは煩わしい。
【０００５】
また、特許文献２では、電子レンジで加熱を行った時に天面に設けた開封部分が自動で開封する自動開封機能付き電子レンジ用箱入り包装袋が提案されている。
【０００６】
この電子レンジ用箱入り包装袋は、単純に箱の向きを確認して電子レンジに入れ、加熱できるので、手間は無く調理可能である。
しかし、蒸気抜き部が開封部に向かって突出するようになっているので、加熱すると蒸気抜き部が自然と持ち上がる構造になっている為、蒸気抜き部に内容物が接するおそれがない。しかし、蒸気抜き部が側部にあるような構造のパウチを用いた場合には、加熱時に内容物が蒸気抜き部に接してしまうおそれがあった。
【先行技術文献】
【特許文献】
【０００７】
【特許文献１】特許第４１８６７２６号公報
【特許文献２】特許第５０６２４０９号公報
【発明の概要】
【発明が解決しようとする課題】
【０００８】
そこで、調理に手間を掛けず、かつ、蒸気抜き部を高い位置に持ち上げ、火傷を負い難い、電子レンジによって加熱調理可能なレンジ用パウチを内部に収納する紙箱を提供することが、本発明の課題である。
【課題を解決するための手段】
【０００９】
本発明の請求項１に係る発明は、電子レンジによって加熱調理可能なレンジ用パウチを内部に収納する紙箱であって、紙箱の１側面のりしろに延長して枕部を設け、前記枕部は、１側面のりしろ側から順に、パウチ乗せ台、立ち壁、底面接着部からなることを特徴とするレンジ用パウチ収納箱。
【００１０】
本発明の請求項２に係る発明は、枕部は正側面のりしろから延長して設けられていることを特徴とする請求項１に記載のレンジ用パウチ収納箱。
【００１１】
本発明の請求項３に係る発明は、前記パウチ乗せ台の縦方向の長さは、前記正側面のりしろの縦方向の長さよりも長いことを特徴とする請求項１または請求項２に記載のレンジ用パウチ収納箱。
【００１２】
本発明の請求項４に係る発明は、前記立ち壁の高さと正側面のりしろの高さが略同じであることを特徴とする請求項１〜３のいずれかに記載のレンジ用パウチ収納箱。
【００１３】
本発明の請求項５に係る発明は、底面板の正側面のりしろ側から底面板中央近傍にかけて、左右２本の罫線を設けたことを特徴とする請求項１〜４のいずれかに記載のレンジ用パウチ収納箱。
【発明の効果】
【００１４】
本発明のレンジ用パウチ収納箱は、箱を組み立てる時に、レンジ用パウチの蒸気抜きを上方に向けて傾けることができる枕部を形成できる。その為、消費者に手間をかけさせずに、内容物がそのまま噴出すことが無く、電子レンジで加熱調理が可能である。
また、高温の蒸気が排出する蒸気抜き部から離れた位置に開口部を設けたので、箱から取り出す際に火傷を負い難いなどの効果がある。
【図面の簡単な説明】
【００１５】
【図１】本発明のレンジ用パウチ収納箱の一例で、収納箱の展開図である。
【図２】本発明のレンジ用パウチ収納箱の一例で、展開図に合わせて作成したブランクから、組立ての第１工程と第２工程を示す図である。
【図３】本発明のレンジ用パウチ収納箱の一例で、展開図に合わせて作成したブランクから、組立ての第３工程とレンジ用パウチを収納した状態を示す透視斜視図である。
【図４】本発明のレンジ用パウチ収納箱の一例で、レンジ用パウチを収納した状態を示す図で、加熱前の状態と、加熱初期における状態を示す断面図である。
【図５】本発明のレンジ用パウチ収納箱の一例で、レンジ用パウチを加熱調理中の状態を示す断面図と、その状態の外観斜視図である。
【図６】本発明のレンジ用パウチ収納箱の一例で、加熱調理後蒸気が抜き終わり、レンジ用パウチを取り出す状態を示す外観斜視図である。
【図７】本発明のレンジ用パウチ収納箱に入れるレンジ用パウチの例である。
【発明を実施するための形態】
【００１６】
以下、本発明のレンジ用パウチ収納箱の実施形態例について、図を用いて詳細に説明す
る。
図１は本発明のレンジ用パウチ収納箱の一例で、収納箱の展開図である。
上面板１１から右側面板１３４に連通して、開口脆弱線１１２が走り、開口部１１１が形成されている。合わせて、右側面のりしろ１３４０にも脆弱線１３４１が設けられている。
また、底面板１２から正側面のりしろ１３１０に連設して、枕部４が設けられている。
枕部４は、側面板である正側面のりしろ１３１０側から順に、パウチ乗せ台２１、立ち壁２２、底面接着部２３が連続的に設けられ、それぞれが折り曲げ可能な罫線で接続されている。そして、底面接着部２３には、両面テープ、又はホットメルト接着剤などの接着面が形成されている。
さらに、底面板１２には、正側面のりしろ１３１０側から底面板中央近傍にかけて、左右２本の罫線を設けた持ち上げ罫線１２１が設けられている。
パウチ乗せ台２１の縦方向の長さＡは、正側面のりしろ１３１０の長さＢよりも長い。また、立ち壁２２の縦方向の長さＣは、正側面のりしろ１３１０の長さＢと略同じ長さである。立ち壁２２の縦方向の長さＣと正側面のりしろ１３１０の長さＢが略同じであることによって、枕部を立ち上げた時に立ち壁２２の高さと正側面のりしろ１３１０の高さが略同じになる。
【００１７】
図２−１は、展開図に合わせて作成したブランクから、組立ての第１工程を示す平面図である。ブランクの枕部４全体が、正側面のりしろ１３１０との境界の罫線部分で、内側に折り曲げられ、底面接着部２３が底面板１２に接着される。
この形状に成形されると、通常の箱のブランクと同じになり、一般的なカートニングマシンにセットすれば、容易に組立てが可能である。
【００１８】
図２−２は、本発明のレンジ用パウチ収納箱の組立ての第２工程で、右側面板１３４内側に、右側面のりしろ１３４０が接着され、筒状に紙箱が成形された状態である。
この様な筒状にすると、電子レンジ用パウチ３を正面側又は裏面側から装填して、両端を閉められる。
【００１９】
図３−１は、底面板１２に対し、正側面のりしろ１３１０を立てた第３工程である。
正側面のりしろ１３１０と、パウチ乗せ台２１と、立ち壁２２、底面板１２の４つの面は、断面が略長方形を形成している。
その為、正側面のりしろ１３１０を立てると、立ち壁２２が同時に立つ。そして、底面板１２に対し平行なパウチ乗せ台２１は、正側面のりしろ１３１０と立ち壁２２によって、その立った高さ分、底面板１２から離れて持ち上がり、枕部４を形作っている。パウチ乗せ台２１の縦方向の長さは正側面のりしろの縦方向の長さよりも長くなっている。これによって、パウチ乗せ台と立ち壁との間に形成した罫線が山折りになり、正確に枕部を形成することができる。パウチ乗せ台の縦方向の長さと正側面のりしろの長さが同じ長さの場合、正側面のりしろを立ち上げた時にパウチ乗せ台と立ち壁との間に形成した罫線が谷折りになってしまうことがあり、うまく枕部が形成できないおそれがある。さらに立ち壁の縦方向の長さと正側面のりしろの縦方向の長さは略同じ長さになっている。これにより、枕部を立ち上げた時の立ち壁の高さと正側面のりしろの高さが略同じになることによって、パウチ乗せ台が底面板に対して略平行に保たれる。パウチ乗せ台と底面板が略平行の保たれるとパウチ乗せ台に安定して、パウチ上部が配置される。
【００２０】
図３−２は、レンジ用パウチ３を装填し、レンジ用パウチ収納箱を閉じた状態を示す透視斜視図である。
図３−１で示したように、パウチ乗せ台２１が底面板１２から高くなって、枕部を形成している。
レンジ用パウチ３の蒸気抜き部を上面側に向けて、枕部であるパウチ乗せ台２１に、蒸気
抜き部近傍のシール部３０が乗るように、レンジ用パウチ３を装填させる。
以上は、レンジ用パウチを装填して梱包するまでの工程である。
【００２１】
さらに、電子レンジで加熱する状態を示す。
図４−１は、レンジ用パウチ３を装填し、梱包した状態のレンジ用パウチ収納箱１の断面図である。
パウチ乗せ台２１は、正側面のりしろ１３１０と立ち壁２２に支えられて、その高さ分、底面板１２から離れて持ち上がり、枕部を形作っている。
レンジ用パウチ３は、両端がシールされたシール部３０があり、蒸気抜き部３１が一方のシール部３０近傍に形成されている。そして、蒸気抜き部３１近傍のシール部３０が、パウチ乗せ台２１に乗っている。
その為、レンジ用パウチ３の内部には内容物５が充填されているが、蒸気抜き部３１近傍には、内容物が接していない状態を保っている。
レンジ用パウチ３は、表裏が軟質のフィルムで、周囲をシールされた袋状のパウチで、高圧力、高温であっても、破損しにくい丈夫なフィルムで構成されている。
レンジ用パウチ３の上面側に蒸気抜き部３１があり、内部が沸騰するなど、内部圧力が一定以上に大きくなった場合、内部の蒸気を逃がすようになっている.
蒸気抜き部３１は、図７−１や図７−３で示すようなシール部が周囲の融着部よりも内側に突出してあって、そこが内部圧力により周囲よりも先に剥離して開口するものや、図７−２のように、穴があり、その周囲の融着部が、内部圧力で先に剥離するもの、図７−４のように、切り口周囲に外周のシール部３０より低い融着強度のフィルムを融着しているものなど、どのようなものでもかまわない。
なお、パウチ乗せ台２１の高さは、できるだけ上面板１１に近い位置まで高くしておくほうが良い。
【００２２】
図４−２は、レンジ用パウチ３を装填しているレンジ用パウチ収納箱１を電子レンジで加熱し始めた、加熱初期における状態を示す断面図である。
レンジ用パウチ３は、加熱されると、内部圧力が上昇するので、レンジ用パウチ４は膨らみ、丸くなってきて、上面板１１や底面板１２を押して、変形を始める。
この時、底面板１２には、底面板の正側面のりしろ側から底面板中央近傍にかけて、左右２本の罫線を設けているので、この罫線に沿って変形し始める。
そして、底面板の枕部側の角から正側面のりしろ近傍まで斜めに走っている罫線が折れ始めると、図４−２のように、パウチ乗せ台２１側が持ち上げられる。
その為、パウチ乗せ台２１側に装填されているパウチの蒸気抜き部３１がより高く持ち上げられ、蒸気抜き部３１近傍から内容物が遠ざかり、蒸気抜き部３１内面側には空気や蒸気のみが接しているだけなので、内容物５が蒸気抜き部３１から飛び散るおそれがない。
【００２３】
図５は、本発明のレンジ用パウチ収納箱の一例で、図５−１は、電子レンジで加熱して内容物が沸騰している状態における断面図で、図５−２は、その外観斜視図である。
レンジ用パウチ３は、内部圧力が上昇すると、レンジ用パウチ３は膨らみ、収納箱を押し広げ、開口脆弱線１１２が破断し、開口部１１１が開口する。さらに、レンジ用パウチ３は一定の内部圧力が上昇すると蒸気抜き部３１から発生した蒸気５１が抜ける。蒸気５１は収納箱の外へ逃げる。
この開口部１１１の大きさは、上面板面積の３分の１以上、好ましくは２分の１以上であり、３分の２以下が好ましい。開口部１１１面積が大きすぎると、収納箱全体が膨らんで、レンジ用パウチ４の力だけで、開口脆弱線１１２が破断できないのに対して、また、３分の１未満で小さい場合、内部に蒸気が滞留してしまい、レンジ用パウチ収納箱が熱くなってしまう。また、開口部の大きさ及び形状が蒸気抜き部が露出しないような形状及び大きさにしておくと良い。
また、開口部１１１を形成している開口脆弱線１１２は、ミシン目のように部分的に切れ
目を入れたり、厚みのいくらかを切断している半抜きなどに切断された線で、レンジ用パウチが膨らんで内側から開口部１１１内側を押すことによって、容易に切断される。
【００２４】
図６は、電子レンジ加熱が終了した後、開口部１１１を大きく開けて、レンジ用パウチ３を取り出している状態を示した斜視図である。上面板１１の開口部１１１から横に滑らせて、容易に取り出すことができる。
【００２５】
本発明に用いられるレンジ用パウチは、通常のレトルト用パウチと同じ構成のフィルムを使用できる。
例えば、外層から、ポリアミド／無水マレイン酸変性ポリエチレン／ポリアミド／ポリエチレン・酢酸ビニル共重合体鹸化物／無水マレイン酸変性ポリエチレン／ポリエチレン、ポリエチレン／ポリエチレンテレフタレート／アルミニウム箔／ポリエチレン／ポリアミド／ポリエチレン、
ポリプロピレン／アルミニウム箔／ポリエチレン／ポリアミド／ポリエチレン、
ポリエチレンテレフタレート／アルミニウム箔／ポリエチレン、
などの構成が考えられる。
アルミニウム箔は香りを逃がさない役目を担い、厚みは１２〜２４マイクロメーターにする。酸化珪素蒸着のポリエチレンフィルムなどで代用しても良い。また、ポリエチレンテレフタレートフィルムの厚みは８〜２５マイクロメーターなどが使用できる。
これらのフィルムは、通常のドライラミネーション機、エクストルーダーラミネート機などで製造できる。
【００２６】
レンジ用パウチ収納箱に用いられる台紙は、内容物の重量によって異なるが、通常、紙の厚みである坪量は、１２０ｇ／ｍ２から４００ｇ／ｍ２の範囲で使用可能である。また、紙の密度を０．６〜１．１ｇ／ｃｍ３の範囲にする。
内面あるいは内外面をポリエチレンなどでコートしたものでも良い。
【００２７】
本発明のレンジ用パウチ収納箱１の組立ては、予め、枕部２を内側に折りこんで、底面接着部２３を底面に接着しておけば、一般的なカートニングマシンで、容易に組立てが可能である。まず、右側面板１３４と右側面のりしろ１３４０を接着して筒状のスリーブを作り、次にスリーブを起こし、正側面板１３１、正側面のりしろ１３１０、裏側面板１３２、裏側面のりしろ１３２０を折りこんで、適時ホットメルト接着剤を介在して、自動で充填しながら組立てることができる。
【００２８】
本発明のレンジ用パウチ収納箱１は、以上のようなもので、単純に、枕部２の底面接着部２３を底面の内側に接着してあるので、正側面のりしろを立てて折り込む時に、立ち壁２２が立ち上がってパウチ乗せ台２１を上面側に移動・設置される。そして、レンジ用パウチ３の蒸気抜き部３１近傍のシール部を、高い位置に設置されたパウチ乗せ台２１に乗せるので、確実に蒸気抜き部３１が上側に移動する。
加えて、底面板１２の持ち上げ罫線１２１があるので、レンジ用パウチ３が膨らんだときにも、蒸気抜き側の底面が変形するので、確実に蒸気抜き部３１内面から内容物が遠ざかり、内容物が噴出すなどの問題も無い。
そのように、消費者の手間も無く、蒸気抜きから内容物を遠ざからせる上、加熱後、紙箱に入っているので、火傷もしないで、電子レンジから取り出せるなど、メリットは大きい。
【符号の説明】
【００２９】
１・・・・・・・・・レンジ用パウチ収納箱
１１・・・・・・・・上面板
１１１・・・・・・・開口部
１１２・・・・・・・開口脆弱線
１２・・・・・・・・底面板
１３・・・・・・・・側面板
１３１・・・・・・・正側面板
１３１０・・・・・・正側面のりしろ
１３２・・・・・・・裏側面板
１３２０・・・・・・裏側面のりしろ
１３３・・・・・・・左側面板
１３４・・・・・・・右側面板
１３４０・・・・・・右側面のりしろ
１３４１・・・・・・のりしろ脆弱線
２１・・・・・・・・パウチ乗せ台
２２・・・・・・・・立ち壁
２３・・・・・・・・底面接着部
２３０・・・・・・・接着面
３・・・・・・・・・レンジ用パウチ
３０・・・・・・・・シール
３１・・・・・・・・蒸気抜き部
４・・・・・・・・・枕部
５・・・・・・・・・内容物
５１・・・・・・・・蒸気
【図１】
0006428100.tif 000002
【図２】
0006428100.tif 000003
【図３】
0006428100.tif 000004
【図４】
0006428100.tif 000005
【図５】
0006428100.tif 000006
【図６】
0006428100.tif 000007
【図７】
0006428100.tif 000008